(57)【特許請求の範囲】
【請求項１】
地上の進行の妨げとなる障害地の両側を連絡し、前記障害地を跨ぐように横断せしめて設置される案内レールと、この案内レールに沿って往復動するケージと、前記ケージに取り付けられて、前記ケージを、前記案内レールに対して支持せしめて前記案内レールに沿って走行させる支持ローラとを備え、
前記案内レールは、前記障害地の両側にて前記ケージを上下方向に案内する傾斜部と、これら傾斜部同士の中間に位置し、前記ケージを水平に案内する水平部と、前記傾斜部と前記水平部とを接続する円弧部と、から構成され、しかも、前記案内レールは、前記障害地を横断するその横断方向に対して直交をなす左右方向に関して一定間隔を空けて配された一対のレール部材から構成されている一方で、前記支持ローラは、前記横断方向に対して左右の両側に、前記横断方向にずらされるように、前記ケージの水平断面のいずれか一の対角の位置に一組取り付けられ、
前記案内レールの各傾斜部では、前記一対のレール部材のうち、前記ケージのそれぞれの進行方向の前方側に配された支持ローラ側のレール部材が他方のレール部材に対し、前記支持ローラが前記横断方向にずれた寸法に対応して、前記横断方向に関して前記進行方向の前方側に各々ずれて配置されることを特徴とする横断用運搬機。
【請求項２】
前記ケージは、前記案内レールの上側に配置されるように前記支持ローラに支持されていることを特徴とする請求項１に記載の横断用運搬機。
【請求項３】
前記案内レールは、これを構成する前記レール部材を上下に対をなすようにして左右それぞれ配置して設けられ、上側に配された各レール部材には、前記ケージをその上側に配置せしめて前記支持ローラで支持する一方で、下側に配置された各レール部材には、その下側に前記ケージを前記支持ローラで支持することを特徴とする請求項１に記載の横断用運搬機。
【請求項４】
前記案内レールを前記横断方向に対して左右に複数並べて設けると共に、これら案内レール毎に前記ケージを設け、
前記案内レールを構成するレール部材は、隣り合う他の案内レールを構成するレール部材のうち相互に隣接し合うレール部材同士が密着されて一体に形成されていることを特徴とする請求項１に記載の横断用運搬機。
【請求項５】
前記横断用運搬機は、前記障害地の上方に配置されて、前記水平部の延びる方向と同方向に延びる歩行部と、この歩行部の各端部と前記障害地の両側で前記傾斜部の端部とを連絡する階段とを備えたことを特徴とする請求項１乃至４いずれかに記載の横断用運搬機。
【発明の詳細な説明】
【０００１】
【発明の属する技術分野】
本発明は、道路、線路又は河川等、進行の妨げとなる障害地を横断する横断用運搬機に関する。
【０００２】
【従来の技術】
従来、人が交通量の激しい道路や線路等を横断するため、図８に示すように、道路９５の上方を横断する横断部９０と、横断部９０の両端と道路９５の両端９２，９２をそれぞれ連絡する階段９１，９１とを備えた歩道橋９がある。この歩道橋９では、横断部９０の両端と地上を連絡するエレベータ９３，９３を備え、高齢者や障害者の便宜が図られている。
【０００３】
【発明が解決しようとする課題】
しかし、従来の歩道橋では、健常者は利用できるが、高齢者や障害者は苦痛を伴うか、単独では利用できず付き添う人を必要とする場合も有る。たとえエレベータが設置されていても横断部では、歩いたり、車椅子を走行させなければならず、高齢者や障害者にとっては不便であった。そこで、本発明では、高齢者や障害者が安全かつ容易に道路等を横断できる横断用運搬機を提供する。
【０００４】
請求項１の発明では、地上の進行の妨げとなる障害地の両側を連絡し、前記障害地を跨ぐように横断せしめて設置される案内レールと、この案内レールに沿って往復動するケージと、前記ケージに取り付けられて、前記ケージを、前記案内レールに対して支持せしめて前記案内レールに沿って走行させる支持ローラとを備え、前記案内レールは、前記障害地の両側にて前記ケージを上下方向に案内する傾斜部と、これら傾斜部同士の中間に位置し、前記ケージを水平に案内する水平部と、前記傾斜部と前記水平部とを接続する円弧部と、から構成され、しかも、前記案内レールは、前記障害地を横断するその横断方向に対して直交をなす左右方向に関して一定間隔を空けて配された一対のレール部材から構成されている一方で、前記支持ローラは、前記横断方向に対して左右の両側に、前記横断方向にずらされるように、前記ケージの水平断面のいずれか一の対角の位置に一組取り付けられ、前記案内レールの各傾斜部では、前記一対のレール部材のうち、前記ケージのそれぞれの進行方向の前方側に配された支持ローラ側のレール部材が他方のレール部材に対して、前記支持ローラが前記横断方向にずれた寸法に対応して、前記横断方向に関して前記進行方向の前方側に各々ずれて配置される横断用運搬機により上記課題を解決する。
【０００５】
この発明によれば、道路、線路、河川その他の障害地の両側が横断用運搬機によって連絡されているので、高齢者や障害者であっても、ケージに乗りさえすれば歩行したり車椅子を運転させること無く障害地を横断できる。更に、ケージが案内レールに沿って上昇又は下降する際に、ケージの前部と後部の支持部分が常に水平状態を維持しながら案内レールに沿って移動するので、ケージ自体が前後方向に傾くことなく移動し、乗車する者を安全に運搬することができる。また、ケージが障害地を横断している最中に、ケージがその水平方向の中心部を軸として回転したり、前後に振り子のように揺れること無く安全に人を運搬することができる。
【０００６】
請求項２の発明では、請求項１記載の横断用運搬機において、前記ケージは、前記案内レールの上側に配置されるように前記支持ローラに支持されていることを特徴とする。
【０００７】
本発明によれば、横断させる障害地に適合させて案内レールの基部、傾斜、地上からの高さを予め決定して案内レールを架設すれば、ケージを障害地に存する物等にぶつけることなく円滑に移動させることができる。
【０００８】
請求項３の発明では、請求項１に記載の横断用運搬機において、前記案内レールは、これを構成する前記レール部材を上下に対をなすようにして左右それぞれ配置して設けられ、上側に配された各レール部材には、前記ケージをその上側に配置せしめて前記支持ローラで支持する一方で、下側に配置された各レール部材には、その下側に前記ケージを前記支持ローラで支持することを特徴とする。
【０００９】
本発明によれば、横断用運搬機にケージを２つ以上設けて、障害地の双方からケージを移動させて輸送力を向上させたい場合に、当該横断用運搬機を複数設ける必要が無く、場所をとらずにすむ。
【００１０】
請求項４の発明では、前記案内レールを前記横断方向に対して左右に複数並べて設けると共に、これら案内レール毎に前記ケージを設け、前記案内レールを構成するレール部材は、隣り合う他の案内レールを構成するレール部材のうち相互に隣接し合うレール部材同士が密着されて一体に形成されていることを特徴とする。
【００１１】
本発明によれば、横断用運搬機にケージを２つ以上設けて、障害地の双方からケージを移動させて輸送力を向上させたい場合に、当該横断用運搬機を複数設ける必要が無く、場所をとらずにすむ。
【００１２】
請求項５の発明では、請求項１乃至４いずれかに記載の横断用運搬機において、前記横断用運搬機は、前記障害地の上方に配置されて、前記水平部の延びる方向と同方向に延びる歩行部と、この歩行部の各端部と前記障害地の両側で前記傾斜部の端部とを連絡する階段とを備えたことを特徴とする。
【００１３】
本発明によれば、本発明では、案内レールを利用して、人が歩行する歩行部とこの歩行部と地上を連絡する階段を設けているので、同時に従来の歩道橋として利用することもできる。
【００１４】
【発明の実施の形態】
以下、本発明の実施の形態について図面を参照しながら説明する。
【００１５】
図１から図３は、本発明の横断用運搬機の１実施形態を示している。この横断用運搬機１０は、自動車Ａ・・Ａ等の交通の激しい道路Ｒを横断する為に架設されたもので、道路Ｒの上方を横断するようにして道路Ｒの両側を連絡する案内レール１と、案内レール１に沿って移動する箱型の２つのケージ２１，２２とを備えている。また、案内レール１が横断する方向に直交する左右方向の片側（図１の紙面を貫く方向の裏側）には、人が歩行して道路を横断できる歩道橋１３が設けられている。この歩道橋１３は、レールの水平部１２２を利用して形成された人が歩行する歩行部１３０と歩行部１３０の両端と地上とを連絡する階段部１３３，１３３とを備えている。また、歩行部１３０は、案内レール１が横断する方向に沿って延びる平面状の路面部１３２と路面部１３２の左右両側に立設する安全柵１３１とを備えている。
【００１６】
案内レール１は、道路Ｒの上方を２本のレール１１，１２が平行を成すように横断するように架設されている。これら２本のレール１１，１２は、長手方向の両側に位置し、道路Ｒの中心の上方に向かっての延びるように傾斜する傾斜部１１１，１２１と、長手方向の中央部分に位置し、水平に延びるように形成された水平部１１２，１２２と、これら傾斜部１１１，１２１と水平部１１２，１２２とを連続的に接続する円弧部１１３，１２３とから構成されている。これらレール１１，１２は、図２に示すように、その長手方向に直交する方向の断面がＬ字に形成されたレール部材１００，１００を上下方向に２本１組としてその水平部１０２，１０２が対向するようにそれぞれ形成されている。また、各レール１１，１２はレール部材１００，１００の水平部１０２，１０２の端部を水平方向において向かい合うように内側に向け、上段のレール部材１００は鉛直部１０１を上方に向け、下段のレール部材１００はその鉛直部１０１を下方に向けて、それぞれ配置されている。
【００１７】
そして、案内レール１の上段のレール部材１００，１００には、一方のケージ２１が案内レール１の上側を移動するように支持され、下段のレール部材１００，１００には、他方のケージ２２が案内レールの下側を移動するようにそれぞれ支持されている。そのためケージ２１，２２同士は、衝突すること無くすれ違うことができる。
【００１８】
ケージ２１の下面及びケージ２２の上面の左右方向の端部にはブラケット２３‥２３が立設され、このブラケット２３‥２３の外側には、レール１００‥１００と係合する支持ローラ２４‥２４がローラ取付部材２５‥２５を介してそれぞれ取り付けられている。ローラ取付部材２５‥２５は、レール１００‥１００が横断する方向に直交する方向の形状がＴ状に形成され、その基部２５１‥２５１がブラケット２３‥２３に対し外側に張り出し、かつ、ブラケット２３‥２３に対し回転自在に取り付けられている。支持ローラ２４‥２４は、これら基部２５１‥２５１を境に上下に並ぶようにしてローラ取付部材２５‥２５の先端部材２５２‥２５２に回転軸２４１‥２４１を介して回転自在に取り付けられている。そして、各ケージ２１，２２は、レール１００‥１００を上下２つのローラ２４．２４で挟み込むようにしてレール１００‥１００に係合させ支持されている（図２参照）。
【００１９】
また、レール１１，１２は、横断する方向（図１の左右方向）に所定寸法ａだけずらすようにして架設されている。図１の手前側のレール１１は、その傾斜部１１１が図の向こう側のレール１２の傾斜部１２１に対し図１の左右両側共に右方に寸法ａだけずれている。また、図３に示すように、レール１１に係合する一方の支持ローラ２４と、レール１２に係合する他方の支持ローラ２４とは、案内レール１が横断する方向に寸法ａだけずれてケージに取り付けられている。
【００２０】
このため、ケージ２１，２２は、案内レール１の水平部１１２，１２２を移動するときだけでなく、傾斜部１１１，１２１を移動するときも支持ローラ２４，２４が水平に保たれ、ケージ２１，２２を斜めに傾斜させることなく移動させることができる。更に、ケージ２１，２２が移動中に、水平方向の回転運動を起こしたり、案内レール１が横断する方向にケージ２１，２２が振り子のように揺れることを防止している。
【００２１】
ケージ２１，２２の走行は、図４に示す走行装置３のワイヤーロープ３２でケージを引っ張るようにして行われている。この走行装置３は、案内レールに沿って案内レールの両端間に巻き付けられたワイヤーロープ３２と、ワイヤーロープ３２をその長手方向に移動させる、案内レールのほぼ中央部に設けられた駆動部３１とを備えている。また、案内レールの長手方向の両端にはワイヤーロープ３２を巻き付けるようにして案内するための円盤状の案内シーブ３３，３４が取り付けられている。
【００２２】
駆動部３１は筒状に形成され、軸方向に連結されたの２つのドラム３１２，３１３とこのドラム３１２，３１３を回転させる為のモータ３１１とを備えている。ワイヤーロープ３２の一端はドラム３１２に、他端はドラム３１３にそれぞれ巻き付けられ、その中間部分は、案内レールに沿って捲回されている。
【００２３】
この横断用運搬装置では、駆動部３１から送り出されたワイヤロープ３２１は、案内レールに沿って一端側の案内シーブ３３に延ばされ、次いで案内レールに沿って一端側の案内シーブ３３と他端側の案内シーブ３４の間を１往復し（図中３２２，３２３）、図の符号３２４に示すように再度駆動部に戻されるように捲回されている。ケージ２１はワイヤーロープ３２の符号３２２で表される部分に、ケージ２２は符号３２３で表された部分にそれぞれ取り付けられいる。このため、この走行装置３は１本のワイヤーロープ３２にてケージ２１を図中右から左へ、ケージ２２を左から右へ同時に走行させることができる。各ケージ２１，２２を逆向きに走行させるには、ドラム３１２，３１３を逆転させればよい。
【００２４】
なお、以上の実施形態では、ケージを２つ設けたものについて説明したが、これには限定されず、ケージをただ１つだけ設けてもよい。図５はケージを１つだけ設けた場合の走行装置のワイヤーロープの捲回状態を示している。
【００２５】
この走行装置３０は、左右のレール１５，１６に沿ってこれらの長手方向の全域に亘って捲回されたワイヤーロープ３５，３６と、案内レールの長手方向のほぼ中央にワイヤーロープ３５，３６をその長手方向に移動させてケージ２２を移動させるための駆動部３７とを備えている。各ワイヤーロープ３５，３６は、レール１５，１６を間に挟んで上下方向に対向するようにして各レール１５，１６に捲回されている。またレール１５，１６の長手方向の両端には、外周にワイヤーロープ３５，３６を巻き付けて、ワイヤーロープ３５，３６の移動方向を反転させるように案内する円盤状のシーブ３８‥３８が設けられている。駆動部３７は、筒状のドラムとこのドラムを回転させるモータとを具備している。各ワイヤーロープ３５，３６は上側ロープ３５２，３６２が駆動部３７のドラムに巻き付けられており、このドラムが回転することでワイヤーロープ３５，３６はレール１５，１６の周りを沿うようにして移動する。
【００２６】
一方、ケージ２２はその上面の両側部が、ワイヤーロープ３５，３６の下側ロープ３５１，３６１にそれぞれ取り付けられている。このケージ２２はワイヤーロープ３５，３６の移動に伴い案内レール長手方向の一端側（図５の左側）から他端側（図５の右側）へ移動する。ケージ２２を逆の方向へ移動させるには、駆動部３７のドラムを逆回転させればよい。なお、ワイヤーロープを駆動力の伝達媒体とするものには限定されずチェーンを伝達媒体とし、シーブに代えスプロケットを使用してもよい。さらには、ピニオンをケージに取り付け、ラックを案内レールに設けてこれらの噛み合いを利用してケージを走行させてもよい。
【００２７】
また、本発明にかかる横断用運搬機は、図６、図７に示すように、案内レールを左右方向に並べるように架設して左右方向でケージ２１，２２同士をすれ違うようにしてもよい。この実施形態では、案内レール４は、２つのケージ２１，２２が共通して使用する左右方向の中央部に設けられたレール４１と、このレール４１に左右方向に所定間隔を隔てて平行に設けられたレール４２，４３とを備えている。中央部のレール４１は、２つのＬ字形のレール１００，１００が背合わせになるように鉛直部１０１，１０１を上側に向けこれらを密着させ、水平部１０２がそれぞれ左右方向の外側を向くように形成されている。
【００２８】
一方、左右方向の両側部のレール４２，４３は水平部１０２が中央部のレール４１に向くように形成されている。ケージ２１はレール４１，４２のレール部材１００，１００に係合され、ケージ２２はレール４１，４３のレール部材１００，１００に係合され、案内レール４の長手方向に沿って移動できるように支持されている。これらケージ２１，２２についても同様に、ケージ２１，２２には、下面の左右両側に支持ローラ２４‥２４が設けられ、レール部材１００，１００の水平部１０２，１０２を支持ローラ２４，２４で挟み込むようにして係合して案内レール４に支持されている。
【００２９】
更に本発明では、対が形成されるレール部材を所望の数だけ設けて案内レールを架設すれば、歩行者の多少に適応した交通手段とすることができる。
【００３０】
【発明の効果】
本発明では、高齢者、障害者が交通の激しい道路や線路などの通行の障害となる障害地を安全に横断することができる。また、本発明にかかる横断用運搬機に歩行部と歩行部と地上とを連絡する階段を設ければ従来の歩道橋としての機能をも果たすことができる。
【図面の簡単な説明】
【図１】本発明の１実施形態にかかる横断用運搬機の正面図。
【図２】図１の横断用運搬機の案内レールの長手方向に直交する方向から見たケージを示す図。
【図３】図２のケージの平面図。
【図４】ケージを走行させるための走行装置の概略を示す図。
【図５】図４とは別の実施形態にかかる走行装置の概略を示す図。
【図６】図１の実施形態とは別の実施形態にかかる横断用運搬機の平面図。
【図７】図６に示す横断用運搬機の案内レールの長手方向に直交する方向から見たケージを示す図。
【図８】従来の歩道橋の正面図。
【符号の説明】
１，４  案内レール
１０横断用運搬機
１１，１２，１５，１６  レール
１００  レール部材
２１，２２  ケージ
２４  支持ローラ
３，３０  走行装置
４１，４２，４３  レール
【図１】
0003730043.tif 000002
【図２】
0003730043.tif 000003
【図３】
0003730043.tif 000004
【図４】
0003730043.tif 000005
【図５】
0003730043.tif 000006
【図６】
0003730043.tif 000007
【図７】
0003730043.tif 000008
【図８】
0003730043.tif 000009